(57)【要約】【課題】    高さ方向に縦長の門柱の上部に照明を組み込んだものでありながら、蛍光灯の交換が簡単に行えるようにできる門柱を提供すること【解決手段】      対向した支柱１間に照明部３と該照明部３の下方に位置する郵便箱４を有する門柱２であって、照明部３は門柱２の上端部分に設けられ、照明部３の後部に下開き開閉扉９が設けられ、該照明部３内には、蛍光灯３３を門柱２前方側に設けた照明器具３２が、一方側の支柱１内側面に、該照明器具３２と他方側の支柱１との間に手挿入空間１０を形成するように設けられていることを特徴とする門柱２である。【選択図】図１
2005299252.tif 000002
【特許請求の範囲】
【請求項１】
対向した支柱間に照明部と該照明部の下方に位置する郵便箱を有する門柱であって、照明部は門柱の上端部分に設けられ、照明部の後部に下開き開閉扉が設けられ、該照明部内には、蛍光灯を門柱前方側に設けた照明器具が、一方側の支柱内側面に、該照明器具と他方側の支柱との間に手挿入空間を形成するように設けられていることを特徴とする門柱。
【請求項２】
照明器具の門柱前方側が同門柱後方側より支柱内側面から離れるように、照明ベースを介して照明器具を支柱内側面に固定したことを特徴とする請求項１記載の門柱。
【請求項３】
閉状態の下開き開閉扉の下端と、該下開き開閉扉の直下に設けられる郵便箱との間に、照明部内部と連通した通気口を形成したことを特徴とする請求項１または２記載の門柱。
【請求項４】
下開き開閉扉は、該下開き開閉扉の下側側面に支柱に設けられた回動軸と係合する縦長穴を形成し、下開き開閉扉を閉めた状態で、該回動軸は縦長穴の下側部分に位置するようになしたことを特徴とする請求項３記載の門柱。
【請求項５】
支柱と郵便箱との間に、該支柱と郵便箱とを組み合わせた状態で上下方向にわたって水抜き部が形成されるとともに、支柱の内側面の郵便箱上端面より上方に、照明部の電源線などの配線を支柱内部に引き込むための開口部を形成したことを特徴とする請求項１から４のいずれか一つに記載の門柱。
【発明の詳細な説明】
【技術分野】
【０００１】
本発明は、一般住宅の外構に設けられる門柱に関するものである。
【背景技術】
【０００２】
近年、一般住宅の外構に、従来のモルタルなどで構成される門柱（湿式門柱とも言う）とは違う、いわゆる乾式外構タイプの門柱を設けることが行われている。これらは、工場などで予め門柱を製造し、施工現場にて門柱を基礎上に固定することで門柱を立てることができ、湿式門柱で必要な、モルタル塗布、乾燥時間などが不要で、施工時間が短縮でき、また意匠的にも、工場において工業的に予め造形を施しておくことができるため、数多く用いられている（例えば特許文献１など）。
【０００３】
一方で、近年の住宅事情から、狭小地に住宅を建てる場合、一般には外構部分も狭くなるため、門柱にインターホン、照明、郵便箱などの設備機器を組み込んだ門柱が多く使われる。これらも種々の形状があるが、高さ方向に縦長の門柱も、すっきりとした印象を与えるため、採用されることが多い。
【０００４】
そして照明を組み込んだ門柱の場合、照明の交換がしばしば必要になるが、設備機器を組み込んだ門柱の場合、縦長の門柱の場合には特に照明部の位置が高くなり、電球などの交換は、高い所にあるグロ−ブを取り外す必要や、グローブ自身の取り扱いに注意しなければならないなど、やりにくいものであった。
【特許文献１】特開２０００−６４７５２号公報
【発明の開示】
【発明が解決しようとする課題】
【０００５】
本願発明は、上記背景技術に鑑みて発明されたものであり、その課題は、高さ方向に縦長の門柱の上部に照明を組み込んだものでありながら、蛍光灯の交換が簡単に行えるようにできる門柱を提供することである。
【課題を解決するための手段】
【０００６】
上記課題を解決するために、請求項１記載の本願発明は、対向した支柱間に照明部と該照明部の下方に位置する郵便箱を有する門柱であって、照明部は門柱の上端部分に設けられ、照明部の後部に下開き開閉扉が設けられ、該照明部内には、蛍光灯を門柱前方側に設けた照明器具が、一方側の支柱内側面に、該照明器具と他方側の支柱との間に手挿入空間を形成するように設けられていることを特徴とする門柱としている。
【０００７】
また、請求項２記載の本願発明は、照明器具の門柱前方側が同門柱後方側より支柱内側面から離れるように、照明ベースを介して照明器具を支柱内側面に固定したことを特徴とする請求項１記載の門柱としている。
【０００８】
また、請求項３記載の本願発明は、閉状態の下開き開閉扉の下端と、該下開き開閉扉の直下に設けられる郵便箱との間に、照明部内部と連通した通気口を形成したことを特徴とする請求項１または２記載の門柱としている。
【０００９】
また、請求項４記載の本願発明は、下開き開閉扉は、該下開き開閉扉の下側側面に支柱に設けられた回動軸と係合する縦長穴を形成し、下開き開閉扉を閉めた状態で、該回動軸は縦長穴の下側部分に位置するようになしたことを特徴とする請求項３記載の門柱としている。
【００１０】
また、請求項５記載の本願発明は、支柱と郵便箱との間に、該支柱と郵便箱とを組み合わせた状態で上下方向にわたって水抜き部が形成されるとともに、支柱の内側面の郵便箱上端面より上方に、照明部の電源線などの配線を支柱内部に引き込むための開口部を形成したことを特徴とする請求項１から４のいずれか一つに記載の門柱としている。  
【発明の効果】
【００１１】
請求項１記載の本願発明の門柱においては、一方側の支柱に固定された照明器具と他方側の支柱との間に手挿入空間を形成するように設けられていることで、門柱の上端部分に設けられ、ある程度高い位置にある照明部に、門柱の後ろ側から手を差し込み、照明器具の門柱前方側に位置する蛍光灯の交換を容易にすることができる。
【００１２】
請求項２記載の門柱においては、このように傾斜して照明器具を設けることができるので、蛍光灯を手挿入空間を形成できる程度において、蛍光灯を照明部の略中央部分に近づけて設けることができる。
【００１３】
また、照明器具を取付けた側の門柱斜め後方から交換をする場合（つまり手挿入空間が形成されていない側から交換をする場合）にでも、手を挿入し廻し易くできるので、交換が容易である。
【００１４】
請求項３記載の門柱においては、閉状態で下開き開閉扉の下端と郵便箱との間に通気口が形成され、照明部内部と連通されているので、内部が高湿度のまま置かれ、照明器具などの電気器具の絶縁状態が悪化することを防ぐことが可能となる。
【００１５】
請求項４記載の門柱においては、下開き開閉扉を上側にずらせ固定することでできる隙間を通気口として用いることができ、さらに下開き開閉扉を下げてから開くこともできるので、利用者にとっては少しでも扉の操作位置をずらすことができ、楽に開閉することができるものである。
【００１６】
請求項５記載の門柱においては、郵便箱上面に雨水が溜まり、前記通気口から門柱内部に水が進入するおそれがあるが、門柱内部に水が溜まり、内部の湿度が上昇した状態に維持されることを、支柱と郵便箱との組み合わせ状態で形成される水抜き部から排出するとともに、支柱間に位置する照明部の電源線などの配線を支柱内部に進入させること無く引き込むことが可能となる。
【発明を実施するための最良の形態】
【００１７】
本願発明の最良の形態を図１から図５にて示される以下の実施例にて説明する。なお、図１は本願発明の要部である門柱のＡ−Ａ’断面図を、図２は門柱の正面図および側面図を、図３は同門柱のＢ−Ｂ’断面図を、図４は同門柱のＣ−Ｃ’断面図を、図５は門柱の照明部等の内部機構を示した上側部分の拡大側面図をそれぞれ示している。
【００１８】
本実施形態では、対向した支柱１間に照明部３と該照明部３の下方に位置する郵便箱４を有する門柱２であって、照明部３は門柱２の上端部分に設けられ、照明部３の後部に下開き開閉扉９が設けられ、該照明部３内には、蛍光灯３３を門柱２前方側に設けた照明器具３２が、一方側の支柱１内側面に、該照明器具３２と他方側の支柱１との間に手挿入空間１０を形成するように設けられていることを特徴とする門柱２としている。
【００１９】
また照明器具３２の門柱２前方側が同門柱２後方側より支柱１内側面から離れるように、照明ベース３５を介して照明器具３２を支柱１内側面に固定してある。なお、照明器具３２は、照明器具本体３１に蛍光灯３３、グロー球３４を設けて形成されている。このように傾けて取付けることで、蛍光灯３３と反対側にグロー球３４など交換を要する部品がついているような照明器具３２を選択しても、双方簡単に取り替えることが可能となる。
【００２０】
この手挿入空間１０は、図１の例においては、照明器具３２と照明器具３２が取り付けられていない他方側の支柱１間から、実際に手を挿入し蛍光灯３３を交換する際に必要となる部分を指している。特に高い位置に設けられた照明部３に、郵便箱４が門柱２の後方に突出し邪魔になる場合などでも、このような手挿入空間１０を有するように照明器具３２を取り付けると、簡単に蛍光灯３３を交換することが出来る。特に、照明器具３２を支柱１に対し図示のように傾けて配置してあるので、手挿入空間１０側の門柱２後方から交換する場合だけでなく、反対側になる照明器具３２取付け側の門柱２後方からでも、腕の曲がりをあまり妨げることなく、容易に蛍光灯３３にまで手を届かせることができるものである。
【００２１】
また閉状態の下開き開閉扉９の下端と、該下開き開閉扉９の直下に設けられる郵便箱４との間に、照明部３内部と連通した通気口１１を形成され、下開き開閉扉９は、該下開き開閉扉９の下側側面に支柱１に設けられた回動軸（図示せず）と係合する縦長穴（図示せず）を形成し、下開き開閉扉９を閉めた状態で、該回動軸は縦長穴の下側部分に位置するようになしている。
【００２２】
このような通気口１１が形成されると、照明部３内部と通気口１１とが連通されているので、照明部３内部が高湿度のまま置かれ、照明器具３２などの電気器具の絶縁状態が悪化することを防ぐことが可能となり、また特に本実施形態では、下開き開閉扉９を上側にずらせ固定することでできる隙間を通気口１１として用いることで、さらに下開き開閉扉９を下げてから開くこともできるので、利用者にとっては少しでも該扉の操作位置を下にずらすことができ、楽に開閉することができながら、通気口１１の確保もできるものである。
【００２３】
図２（ｂ）には、下開き開閉扉９が、閉状態で上記のように一旦下側に移動し、その後回動軸を中心に下方に開けられる動きを、矢印により表現している。そして、完全に開いた状態で点線で示したように郵便箱４の上端面に載置される。なお、閉状態での下方移動距離は、下開き開閉扉９の下端が郵便箱４に当たらない距離として、郵便箱４の上端面に擦れないようにされている。
【００２４】
この下開き開閉扉９は、平板を折曲し、水平方向断面が前方に開いた略コ字状に形成されている。そして側面には前記縦長穴が下方に形成され、ネジを下開き開閉扉９の回動軸として縦長穴を通して支柱１に係合するとともに、上方には手で取り外しが容易な、ローレットビス９１を用いるための孔が形成され、支柱１に固定されている。そして開く際には、ローレットビス９１を取り外してから、上述の様に開閉するものである。
【００２５】
勿論、上述の様に扉の操作位置を下にずらさずに開閉してもかまわないが、下がった位置で開閉すると、下開き開閉扉９の開状態での後方への突出量を少なくすることができ、後方に壁などの障害物がある場合でも、障害物に当てることなく開閉ができ、また門柱２の立設位置を壁方向により近づけることが可能となる。また本実施形態では、該下開き開閉扉９を、略水平状態にし、郵便箱４の上端面に載置しておくことができ、特に保持機構などを別途設ける必要が無く、構成を簡略化することができる。
【００２６】
また支柱１と郵便箱４との間に、該支柱１と郵便箱４とを組み合わせた状態で上下方向にわたって水抜き部が形成されるとともに、支柱１の内側面の郵便箱４上端面より上方に、照明部３の電源線３８などの配線を支柱１内部に引き込むための開口部を形成している。本実施形態では、前記水抜き部は、押出し成形で作られる中空の支柱１の内側面に、全長にわたって形成される郵便箱４取付ネジの係合溝を利用して形成されている。したがってこの場合、支柱１に形成された該係合溝内を伝って、そのまま地面にまで至らせることができる。なお、郵便箱４内部に水が侵入しないように、例えばパッキンなどを利用して郵便箱４を固定している。
【００２７】
また特に係合溝などを用いなくても、例えば郵便箱４側面にできる凹凸形状（郵便箱４の各部品を組み合わせることでできる形状）と支柱１内側面とで生じる隙間を水抜き部として利用してもよい。
【００２８】
ところで図１は、図２に示すように門柱２の表札部５のすぐ上であるＡ−Ａ’断面を上方向に見た図であるが、図示しているように、照明ベース３５は断面が略直角三角形である三角筒形状に形成され、支柱１固定面となる一面を門柱２後方方向に延出し照明ベース３５への取付部を形成し、同所にビスなどを用いて支柱１に固定している。また、照明器具３２取付面として用いられる斜辺を有する面は、門柱２前方方向に同一平面で延設されていて、照明器具３２の取付がなされている。
【００２９】
照明器具３２には蛍光灯３３が門柱２前方側に位置するように設けられていて、照明器具３２を照明ベース３５に取り付けることで、蛍光灯３３が支柱１の略中央部分に位置するようになっている。もちろん支柱間の間隔が狭い場合には、手挿入空間１０が確保できるように照明ベース３５が取り付けられている一方側の支柱１に寄るように蛍光灯３３をずらせることは適宜行ってもよい。その場合には、前方から照明部３を見たときに一番明るい部分が一方側に寄って見えないように、例えば蛍光灯３３の前面部分の照明カバー３７の該当部分を透光率を減じておくなどしてもよい。
【００３０】
なお、本実施形態とは反対側に照明器具３２を設け、手挿入空間１０を本実施形態とは反対側に設けることを、施工現場に応じて行ってもよい。専用の部品を用意してもよいし、単に照明ベース３５を反転させ用いることができるようにしてもよい。
【００３１】
また照明カバー３７の前面には、前方に凸に膨らんだ前パネル３６が設けられている。この前パネル３６は、例えばパンチングメタルと呼ばれる、小孔を多数空けた金属板により形成されるものを用いたり、透光性を有するアクリル板などの面板を用いてもよい。なお、直接照明部３内部の照明器具３２が見えなければ、照明カバー３７を省略してもよい。これらは門柱２の意匠性を考慮し、適宜選択するものである。
【００３２】
また図４を参照すると、門柱２の下方、郵便箱４の下側と地面との間に、門柱２の前面側を閉塞する仕切り板７を設けている。これは特に無くてもよいが、照明部３の前パネル３６と形状を合わせ用いることで、統一感を門柱２に創出している。また、仕切り板７を剛性のある板、もしくは箱状のものにして、門柱２下部の横方向への強度向上に役立ててもよい。
【００３３】
図２（ａ）には、照明部３の下側に表札部５が、さらにインターホン６が、照明部３と郵便箱４との間に位置することが示されている。なお、門柱２には適宜これらを取り付けるので、インターホン６が無い態様や、表札部５が無い態様や、ここで示されていない機器を設ける場合がありえる。また天キャップ８は、門柱２内部に雨水などが入らないように門柱２の頂部を閉塞するキャップで、両支柱１および照明部３をあわせて閉塞している。なお、抜けとめ防止として支柱１とビスなどで係合させている。
【００３４】
また本実施形態で用いられている郵便箱４は、縦型のもので投函口４１も縦方向に形成されていて、支柱１で該郵便箱４を挟んだ場合、支柱１間の間隔が狭くなるものである。なお、取り出し口４２は郵便箱４の後端面に形成されている。
【００３５】
図２（ｂ）は先述のとおり門柱２の側面図に当たるが、意匠性を向上させるために、側面の上下方向全長に亘って等ピッチで凹溝が形成されている。なお、アルミ型材を支柱材料として用いている。
【００３６】
そして全体を細身ですっきりとした形状とするために、門柱２の高さが、地面から約１７７０ｍｍ、門柱２全体の幅が約２１０ｍｍ、郵便箱４の幅が約１５０ｍｍ、そして支柱１の幅がそれぞれ約３０ｍｍと、従来のものと比べても非常に細身に形成されている。門柱２の奥行きは、支柱１部分が約１５０ｍｍ、郵便箱４の奥行き部分が約３３０ｍｍある。そして照明部３のある部分の高さが凡そ１５００ｍｍ程度となるため、門柱２の後ろ側から蛍光灯３３の交換をする場合には、門柱２の真後ろではなく、どちらかに寄り、門柱２にできるだけ近づいてしなければならない。そのため上述のような手挿入空間１０を、郵便箱４と略同じ幅の照明部３に設けておけば、手を挿入し蛍光灯３３を交換することを容易にしている。
【００３７】
なお、支柱１内部には、地面から電源線３８やインターホン６の信号線６２等の配線を立ち上げる際に用いられるフレキ管２０を収容している。なお、門柱２を立設する際には、地面を掘り下げ、門柱２を立てた後、モルタルなどを流し込み、門柱２を固定することで行う。したがって、配線などは予め住宅内部から庭などの地面に埋設された状態で門柱２立設位置まで引き回しておく必要がある。
【００３８】
図３は郵便箱４のすぐ上で切断したＢ−Ｂ’断面図を示している。これによりインターホン６や表札部５の下端面が見えるとともに、これら一連のものは全体が互いに照明部３も含め連通するように形成されていて、前記開口部６３を設けると、これら一連のもの全体の内部湿度環境に好影響を与えることができる。
【００３９】
なお、照明器具３２に接続された電源線３８は、一旦端子台４０に接続され、端子台４０からは張力留め３９を介して支柱１内部に、郵便箱４の位置より上方で開口部（図示せず）を設け引き込まれ、下方に配線されている。またインターホン６の信号線６２も同様に開口部６３を設け、支柱１内に引き込まれている。
【００４０】
図５を参照すると、表札部５は、インターホン６を収容し支柱１間に固定される収容ケース６１の上端面から、上方に行くほど後方に傾斜した板状体にて形成され、その前面部分に利用者の名前などを描き、上方の照明部３によって表札部５を照らし、来訪者が表札部５を視認しやすいようになっている。また、表札部５の上端部分は前方に折曲され照明遮蔽板として用いられ、照明を直接表札部５に当てるのではなく、照明遮蔽板を避けて間接的に表札部５に照明が当たるようにし、夜間などで目が暗がりに慣れているときに、強い照明が目に入るようなことを避けるようにしている。
【００４１】
この収容ケース６１は、後方と下方が開放した略箱型に形成されている。そしてインターホン６を取り付ける際に、予めインターホン６の取り付け部分を通して信号線６２が引き出されていて、インターホン６と信号線６２を取り付けた後、収容ケース６１にインターホン６を取り付ける。メンテナンスの必要があるときでも、インターホン６を前側から取り外すことができるので簡単に行える。
【図面の簡単な説明】
【００４２】
【図１】本願発明の実施形態である門柱の要部であるＡ−Ａ’断面図である。
【図２】同門柱の（ａ）正面図および（ｂ）側面図である。
【図３】同Ｂ−Ｂ’断面図である。
【図４】同Ｃ−Ｃ’断面図である。
【図５】同門柱の照明部等の内部機構を示した上部分の拡大側面図である。
【符号の説明】
【００４３】
１  支柱
２  門柱
３  照明部
３１  照明器具本体
３２  照明器具
３３  蛍光灯
３４  グロー球
３５  照明ベース
３６  前パネル
３７  照明カバー
３８  電源線
３９  張力留め
４０  端子台
４  郵便箱
４１  投函口
４２  取り出し口
５  表札部
６  インターホン
６１  収容ケース
６２  信号線
６３  開口部
７  仕切り板
８  天キャップ
９  下開き開閉扉
９１  ローレットビス
１０  手挿入空間
１１  通気口
２０  フレキ管
【図１】
2005299252.tif 000003
【図２】
2005299252.tif 000004
【図３】
2005299252.tif 000005
【図４】
2005299252.tif 000006
【図５】
2005299252.tif 000007